(57)【要約】  キャリアアグリゲーションをサポートする無線通信システムにおける基地局であって、複数のセカンダリセルのうち、所定のセカンダリセルの周波数又は所定のセカンダリセルに対して受信品質の測定条件の緩和を許容するか否かを示す設定情報を生成する生成部と、前記設定情報をユーザ装置に送信する送信部と、を有する基地局を提供する。
2017077898.tif 000002
【特許請求の範囲】
【請求項１】
キャリアアグリゲーションをサポートする無線通信システムにおける基地局であって、
複数のセカンダリセルのうち、所定のセカンダリセルの周波数又は所定のセカンダリセルに対して受信品質の測定条件の緩和を許容するか否かを示す設定情報を生成する生成部と、
前記設定情報をユーザ装置に送信する送信部と、
を有する基地局。
【請求項２】
前記設定情報は、前記所定のセカンダリセルの周波数に適用する受信品質の測定条件を更に含む、請求項１に記載の基地局。
【請求項３】
前記受信品質の測定条件は、アクティブ状態であるセカンダリセルの周波数におけるセル検出に許容される時間、又は、ＲＳＲＰ、ＲＳＲＱ若しくはＳＩＮＲの測定に許容される時間である、請求項１又は２に記載の基地局。
【請求項４】
前記設定情報は、ＲＲＣメッセージで送信されるインフォメーションエレメント、又は、ＭＡＣ  ＣＥである、請求項１乃至３のいずれか一項に記載の基地局。
【請求項５】
キャリアアグリゲーションをサポートする無線通信システムにおけるユーザ装置であって、
複数のセカンダリセルのうち、所定のセカンダリセルの周波数又は所定のセカンダリセルに対して受信品質の測定条件の緩和を許容するか否かを示す設定情報を、基地局から取得する取得部と、
アクティブ状態であるセカンダリセルの周波数に対して受信品質の測定を行う場合、前記設定情報に基づいて、アクティブ状態であるセカンダリセルの周波数の受信品質の測定を行う際に許容されている測定条件よりも緩和された測定条件で受信品質の測定を行うのか否かを判断し、判断した測定条件に従って受信品質の測定を行う測定部と、
を有するユーザ装置。
【請求項６】
キャリアアグリゲーションをサポートする無線通信システムにおける基地局が実行する測定条件通知方法であって、
複数のセカンダリセルのうち、所定のセカンダリセルの周波数又は所定のセカンダリセルに対して受信品質の測定条件の緩和を許容するか否かを示す設定情報を生成するステップと、
前記設定情報をユーザ装置に送信するステップと、
を有する測定条件通知方法。
【請求項７】
キャリアアグリゲーションをサポートする無線通信システムにおけるユーザ装置が実行する測定方法であって、
複数のセカンダリセルのうち、所定のセカンダリセルの周波数又は所定のセカンダリセルに対して受信品質の測定条件の緩和を許容するか否かを示す設定情報を、基地局から取得するステップと、
アクティブ状態であるセカンダリセルの周波数に対して受信品質の測定を行う場合、前記設定情報に基づいて、アクティブ状態であるセカンダリセルの周波数の受信品質の測定を行う際に許容されている測定条件よりも緩和された測定条件で受信品質の測定を行うのか否かを判断し、判断した測定条件に従って受信品質の測定を行うステップと、
を有する測定方法。
【発明の詳細な説明】
【技術分野】
【０００１】
本発明は、ユーザ装置、基地局、測定条件通知方法及び測定方法に関する。
【背景技術】
【０００２】
ＬＴＥ（Long Term Evolution）システムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。【０００３】
ＣＡが行われる際には、ユーザ装置に対して、接続性を担保する信頼性の高いセルであるＰＣｅｌｌ（Ｐｒｉｍａｒｙ  Ｃｅｌｌ：プライマリセル）及び付随的なセルであるＳＣｅｌｌ（Ｓｅｃｏｎｄａｒｙ  Ｃｅｌｌ：セカンダリセル）が設定される。ユーザ装置は、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。【０００４】
ＳＣｅｌｌは、ＰＣｅｌｌに追加されてユーザ装置に対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置に対して設定された直後は、非アクティブ状態（ｄｅａｃｔｉｖａｔｅ状態）であるため、アクティブ化することで初めて通信可能（スケジューリング可能）となるセルである。【０００５】
従来のＬＴＥの仕様では、ユーザ装置あたりＣｏｎｆｉｇｕｒｅ可能なＣＣの数は、最大で５である一方、Ｒｅｌ．１３のＬＴＥでは、より柔軟かつ高速な無線通信を実現するため、及び、連続する超広帯域のアンライセンスバンドで、多数のＣＣを束ねられるようにするために、ＣＡにおいて束ねられる最大５ＣＣの制限を取るＣＡ  ｅｎｈａｎｃｅｍｅｎｔが検討されている。例えば、最大で３２ＣＣを束ねるＣＡが検討されている。最大で３２ＣＣを束ねるＣＡが行われることで、達成可能なピークレートが飛躍的に向上することが想定される。
【先行技術文献】
【非特許文献】
【０００６】
【非特許文献１】３ＧＰＰ  ＴＳ３６．３３１  Ｖ１２．７．０（２０１５−０９）
【非特許文献２】３ＧＰＰ  ＴＳ３６．１３３  Ｖ１３．０．０（２０１５−０７）
【非特許文献３】３ＧＰＰ  寄書  Ｒ４−１５６０５６
【発明の概要】
【発明が解決しようとする課題】
【０００７】
ユーザ装置は、ＲＲＣシグナリングで通知される測定オブジェクト（Measurement objects）で指示された周波数のセルに対して品質測定を行い、所定のタイミングで基地局ｅＮＢに報告している。【０００８】
図１、図２を参照して、非特許文献２に規定されている、ＣＡ状態のユーザ装置が品質測定を行う際の測定条件を説明する。図１において、「Ｃｅｌｌ  ｉｄｅｎｔｉｆｉｃａｔｉｏｎ」は、サービングセル以外のセル（例えば隣接セル）を検出する際に許容される時間を意味している。「ＲＳＲＰ／ＲＳＲＱ  ｍｅａｓｕｒｅｍｅｎｔ」は、サービングセル又は検出された当該セルにおけるＲＳＲＰ（Reference Signal Receiving Power）又はＲＳＲＱ（Reference Signal Receiving Quality）の測定に許容される時間を意味している。図１の「上記以外」とは、ＰＣｅｌｌ及びＳＣｅｌｌとは異なる周波数（Inter-frequency）である他のセルの検出及び品質測定を行う際の測定条件を意味している。【０００９】
図２は、非アクティブ状態のＳＣｅｌｌ（Deactivated SCell）の周波数に係る測定条件の詳細を示している。非アクティブ状態のＳＣｅｌｌの場合、ＲＲＣメッセージで基地局からユーザ装置に通知される「ｍｅａｓＣｙｃｌｅＳＣｅｌｌ」の設定値に対応して測定条件が一意に定められる。より具体的には、「Ｃｅｌｌ  ｉｄｅｎｔｉｆｉｃａｔｉｏｎ」は「ｍｅａｓＣｙｃｌｅＳＣｅｌｌ」×２０であり、「ＲＳＲＰ／ＲＳＲＱ  ｍｅａｓｕｒｅｍｅｎｔ」は「ｍｅａｓＣｙｃｌｅＳＣｅｌｌ」×５である。つまり、図１の「Ｄｅａｃｔｉｖａｔｅｄ  ＳＣｅｌｌの周波数」に係る時間は、「ｍｅａｓＣｙｃｌｅＳＣｅｌｌ」が１２８０ｍｓの場合の時間を示している。【００１０】
図１に示すように、ＰＣｅｌｌ及びアクティブ状態のＳＣｅｌｌ（Activated SCell）の周波数と、非アクティブ状態のＳＣｅｌｌ（Deactivated SCell）の周波数とでは、測定条件が異なる。具体的には、非アクティブ状態のＳＣｅｌｌの周波数については、ＰＣｅｌｌ及びアクティブ状態のＳＣｅｌｌの周波数よりも測定条件が緩和されている。これは、非アクティブ状態のＳＣｅｌｌは基本的に無通信であることから、ユーザ装置の消費電力の削減を目的として測定条件が緩和されている。【００１１】
ところで、現在、３ＧＰＰでは、ＤＬ（Downlink）において４ＣＣ以上を用いたＣＡの周波数組み合わせ（バンドコンビネーション）の検討が行われている。４ＣＣ以上を用いたＣＡを行う場合、従来以上にユーザ装置の消費電力が大きくなることが想定される。【００１２】
そこで、３ＧＰＰでは、４ＣＣ以上のＣＡを行う場合に、３番目以降のＳＣｅｌｌについては品質測定時の測定条件を緩和し、３番目以降のＳＣｅｌｌがアクティブ状態であっても非アクティブ状態のＳＣｅｌｌに対する測定条件を適用することで、ユーザ装置の消費電力を軽減させることが提案されている。また、１、２番目のＳＣｅｌｌと３番目以降のＳＣｅｌｌとを区別するため、例えば、ＳＣｅｌｌＩｎｄｅｘの番号が３番以降のＳＣｅｌｌに対して固定的に品質測定時の測定条件を緩和することで、新たなＲＲＣシグナリングを追加せずに本制御を実現することが提案されている（非特許文献２）。【００１３】
しかしながら、測定条件を緩和するＳＣｅｌｌを、ＳＣｅｌｌＩｎｄｅｘを用いて固定的に決定しようとすると、仮に、基地局が自ら測定条件を緩和するＳＣｅｌｌを変更しようとする場合、基地局はその度にＳＣｅｌｌの追加／削除を行う必要があり、結果的にＲＲＣのシグナリングが増加する可能性がある。また、基地局は、測定条件を緩和させたくないＳＣｅｌｌについては必ずＳＣｅｌｌＩｎｄｅｘを１及び２に設定する必要があり、運用上の制約が発生してしまう。【００１４】
開示の技術は上記に鑑みてなされたものであって、キャリアアグリゲーションをサポートする無線通信システムにおいて、受信品質の測定条件の緩和を許容するセルを任意に制御することが可能な技術を提供することを目的とする。
【課題を解決するための手段】
【００１５】
開示の技術の基地局は、キャリアアグリゲーションをサポートする無線通信システムにおける基地局であって、複数のセカンダリセルのうち、所定のセカンダリセルの周波数又は所定のセカンダリセルに対して受信品質の測定条件の緩和を許容するか否かを示す設定情報を生成する生成部と、前記設定情報をユーザ装置に送信する送信部と、を有する。【００１６】
また、開示の技術のユーザ装置は、キャリアアグリゲーションをサポートする無線通信システムにおけるユーザ装置であって、複数のセカンダリセルのうち、所定のセカンダリセルの周波数又は所定のセカンダリセルに対して受信品質の測定条件の緩和を許容するか否かを示す設定情報を、基地局から取得する取得部と、アクティブ状態であるセカンダリセルの周波数に対して受信品質の測定を行う場合、前記設定情報に基づいて、アクティブ状態であるセカンダリセルの周波数の受信品質の測定を行う際に許容されている測定条件よりも緩和された測定条件で受信品質の測定を行うのか否かを判断し、判断した測定条件に従って受信品質の測定を行う測定部と、を有する。
【発明の効果】
【００１７】
開示の技術によれば、キャリアアグリゲーションをサポートする無線通信システムにおいて、受信品質の測定条件の緩和を許容するセルを任意に制御することが可能な技術が提供される。
【図面の簡単な説明】
【００１８】
【図１】品質測定を行う際の測定条件を説明するための図である。
【図２】品質測定を行う際の測定条件を説明するための図である。
【図３】実施の形態に係る無線通信システムの構成を示す図である。
【図４】実施の形態に係る無線通信システムの動作を示すシーケンス図である。
【図５Ａ】実施の形態に係るＲＲＣメッセージの例を示す図である。
【図５Ｂ】実施の形態に係るＲＲＣメッセージの例を示す図である。
【図６Ａ】実施の形態に係るＲＲＣメッセージの例を示す図である。
【図６Ｂ】実施の形態に係るＲＲＣメッセージの例を示す図である。
【図７Ａ】実施の形態に係るＲＲＣメッセージの例を示す図である。
【図７Ｂ】実施の形態に係るＲＲＣメッセージの例を示す図である。
【図８Ａ】実施の形態に係るＲＲＣメッセージの例を示す図である。
【図８Ｂ】実施の形態に係るＲＲＣメッセージの例を示す図である。
【図９】実施の形態に係るＭＡＣ  ＣＥの例を示す図である。
【図１０】実施の形態に係るＭＡＣ  ＣＥの例を示す図である。
【図１１】実施の形態に係る基地局の機能構成例を示す図である。
【図１２】実施の形態に係るユーザ装置の機能構成例を示す図である。
【図１３】実施の形態に係る基地局のハードウェア構成例を示す図である。
【図１４】実施の形態に係るユーザ装置のハードウェア構成例を示す図である。
【発明を実施するための形態】
【００１９】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の無線通信システムは、ＬＴＥ−Ａｄｖａｎｃｅｄを含むＬＴＥに対応していることを想定しているが、本発明はＬＴＥに限らず、ＣＡを行う他の方式にも適用可能である。また、本発明は第５世代（５Ｇ）と呼ばれる無線通信システムにも適用可能である。
【００２０】
また、本実施の形態におけるＣＡ（キャリアアグリゲーション）は、Ｉｎｔｒａ−ｅＮＢ  ＣＡのみならず、ＤＣ（Ｄｕａｌ  Ｃｏｎｎｅｃｔｉｖｉｔｙ）のようなＩｎｔｅｒ−ｅＮＢ  ＣＡも含む。また、本発明は、Ｉｎｔｅｒ−ｂａｎｄ  ＣＡ、Ｉｎｔｒａ−ｂａｎｄ  ｎｏｎ−ｃｏｎｔｉｇｕｏｕｓ  ＣＡ、及びＩｎｔｒａ−ｂａｎｄ  ｃｏｎｔｉｇｕｏｕｓ  ＣＡのいずれにも適用可能である。
【００２１】
＜システム構成、動作概要＞
図３は、実施の形態に係る無線通信システムの構成を示す図である。本実施の形態に係る無線通信システムは、ＬＴＥ方式の無線通信システムであり、図３に示すように、ユーザ装置ＵＥ、及び基地局ｅＮＢを含む。基地局ｅＮＢは、例えば遠隔にＲＲＥ（遠隔無線装置）を接続しており、スモールセルとマクロセルを形成可能である。ユーザ装置ＵＥ、及び基地局ｅＮＢは、ＣＡを行うことが可能である。図３には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（Ｄｕａｌ  Ｃｏｎｎｅｃｔｉｖｉｔｙ）を備えていてもよい。
【００２２】
図４は、実施の形態に係る無線通信システムの動作を示すシーケンス図である。図４を参照して図３に示す無線通信システムの基本的な動作を説明する。
【００２３】
ステップＳ１１で、基地局ｅＮＢは、複数のＳＣｅｌｌのうち、所定のＳＣｅｌｌの周波数又は所定のＳＣｅｌｌに対して受信品質の測定条件の緩和を許容するか否かを示す設定情報を、ユーザ装置ＵＥに送信する。
【００２４】
ステップＳ１２で、ユーザ装置ＵＥは、アクティブ状態であるＳＣｅｌｌの周波数の受信品質の測定を行う場合、基地局ｅＮＢから通知された設定情報に基づいて、アクティブ状態であるＳＣｅｌｌの周波数の受信品質の測定を行う際に許容されている測定条件よりも緩和された測定条件で受信品質の測定を行うのか否かを判断し、判断した測定条件に従って受信品質の測定を行う。
【００２５】
なお、「アクティブ状態であるＳＣｅｌｌの周波数の受信品質の測定」とは、「アクティブ状態であるＳＣｅｌｌのＲＳＲＰ又はＲＳＲＱの測定」又は／及び「アクティブ状態であるＳＣｅｌｌと同一の周波数である他のセルの検出及び検出された当該他のセルのＲＳＲＰ又はＲＳＲＱの測定」を意図している。
【００２６】
ステップＳ１３で、ユーザ装置ＵＥは、基地局ｅＮＢから予め指定されるタイミングで品質測定結果を基地局ｅＮＢに送信する。なお、ステップＳ１３の処理手順は、現状のＬＴＥで規定されているＲＲＣのＭｅａｓｕｒｅｍｅｎｔＲｅｐｏｒｔメッセージの送信手順に該当する。基地局ｅＮＢから予め指定されるタイミングとして、Ｅｖｅｎｔ  Ａ１〜Ａ６、Ｂ１、Ｂ２、Ｃ１、Ｃ２が規定されている。例えば、Ｅｖｅｎｔ  Ａ１は、サービングセルの受信品質が所定の閾値を超えた場合である。Ｅｖｅｎｔ  Ａ２は、サービングセルの受信品質が所定の閾値未満になった場合である。Ｅｖｅｎｔ  Ａ６は、隣接セルの受信品質が、ＳＣｅｌｌの受信品質に所定のオフセットを加えた値を超えた場合である。
【００２７】
＜処理手順＞
続いて、基地局ｅＮＢからユーザ装置ＵＥに受信品質の測定条件の緩和を許容するＳＣｅｌｌを通知する際の処理手順（図４のステップＳ１１）と、ユーザ装置ＵＥが行う処理手順（図４のステップＳ１２）の詳細を具体的に説明する。
【００２８】
（処理手順その１）
処理手順その１では、基地局ｅＮＢは、ユーザ装置ＵＥに対して、受信品質の測定条件の緩和を許容するＳＣｅｌｌの周波数を示す設定情報（測定オブジェクト）を、ＲＲＣメッセージを用いて送信する。
【００２９】
より具体的には、基地局ｅＮＢは、ＲＲＣメッセージ（RRCConnectionReconfiguration message）を用いてユーザ装置ＵＥに測定設定ＩＥ（MeasConfigIE）を送信する際、当該測定設定ＩＥに含まれる測定オブジェクト（MeasObjectEUTRA）に、「受信品質の測定条件の緩和を許容することを示す情報」を測定対象の周波数と対応づけて設定しておく。なお、測定対象オブジェクトには、品質測定対象のキャリア周波数（CarrierFreq）及び図２に示す「ｍｅａｓＣｙｃｌｅＳＣｅｌｌ」などが含まれている。
【００３０】
ユーザ装置ＵＥは、アクティブ状態であるＳＣｅｌｌの周波数の受信品質の測定を行う際に、当該ＳＣｅｌｌの周波数に対応する測定オブジェクト（MeasObjectEUTRA）に、「受信品質の測定条件の緩和を許容することを示す情報」が含まれているか否かを確認する。
【００３１】
「受信品質の測定条件の緩和を許容することを示す情報」が含まれている場合、ユーザ装置ＵＥは、非アクティブ状態のＳＣｅｌｌの周波数に対する測定条件に従って、すなわち、測定オブジェクト（MeasObjectEUTRA）に含まれている「ｍｅａｓＣｙｃｌｅＳＣｅｌｌ」に対応する測定条件（図２の測定条件のいずれか）に従って受信品質の測定を行う。
【００３２】
一方、「受信品質の測定条件の緩和を許容することを示す情報」が含まれていない場合、ユーザ装置ＵＥは、アクティブ状態であるＳＣｅｌｌの周波数に対する測定条件（図１のＡｃｔｉｖａｔｅｄ  Ｓｃｅｌｌの周波数に係る測定条件）に従って受信品質の測定を行う。
【００３３】
［標準規格仕様書変更例］
図５及び図６は、測定オブジェクト（MeasObjectEUTRA）に、上述の「受信品質の測定条件の緩和を許容することを示す情報」を設定する際に、現状の標準規格仕様書に対して追加される事項の例を示している。
【００３４】
図５は、「受信品質の測定条件の緩和を許容することを示す情報」を新たに規定するのではなく、既に規定されている「ｒｅｄｕｃｅｄＭｅａｓＰｅｒｆｏｒｍａｎｃｅ−ｒ１２」を流用する場合の変更例を示す。つまり、「ｒｅｄｕｃｅｄＭｅａｓＰｅｒｆｏｒｍａｎｃｅ−ｒ１２」フィールドにＴＲＵＥが設定されている場合、ユーザ装置ＵＥは、「受信品質の測定条件の緩和を許容することを示す情報」が含まれていると判断する。
【００３５】
図６は、「受信品質の測定条件の緩和を許容することを示す情報」として、「ｒｅｄｕｃｅｄＭｅａｓＰｅｒｆｏｒｍａｎｃｅＳＣｅｌｌ」を新たに規定した場合の変更例を示す。図６Ａにおいて下線を引いた部分が追加される事項である。また、図６Ｂに示すように、当該追加部分の説明が「ｒｅｄｕｃｅｄＭｅａｓＰｅｒｆｏｒｍａｎｃｅＳＣｅｌｌ」に追加される。
【００３６】
（処理手順その２）
処理手順その２では、処理手順その１と異なり、基地局ｅＮＢは、ユーザ装置ＵＥに対して、受信品質の測定条件の緩和を許容しないＳＣｅｌｌの周波数を示す設定情報（測定オブジェクト）を、ＲＲＣメッセージを用いて送信する。
【００３７】
より具体的には、基地局ｅＮＢは、ＲＲＣメッセージ（RRCConnectionReconfiguration message）を用いてユーザ装置ＵＥに測定設定ＩＥ（MeasConfigIE）を送信する際、当該測定設定に含まれる測定オブジェクト（MeasObjectEUTRA）に、「受信品質の測定条件の緩和を許容しないことを示す情報」を測定対象の周波数と対応づけて設定しておく。
【００３８】
ユーザ装置ＵＥは、アクティブ状態であるＳＣｅｌｌの周波数の受信品質の測定を行う際に、当該ＳＣｅｌｌの周波数に対応する測定オブジェクト（MeasObjectEUTRA）に、「受信品質の測定条件の緩和を許容しないことを示す情報」が含まれているか否かを確認する。
【００３９】
「受信品質の測定条件の緩和を許容しないことを示す情報」が含まれている場合は、ユーザ装置ＵＥは、アクティブ状態であるＳＣｅｌｌの周波数に対する測定条件（図１のＡｃｔｉｖａｔｅｄ  Ｓｃｅｌｌの周波数に係る測定条件）に従って受信品質の測定を行う。
【００４０】
一方、「受信品質の測定条件の緩和を許容しないことを示す情報」が含まれていない場合、ユーザ装置ＵＥは、非アクティブ状態のＳＣｅｌｌの周波数に対する測定条件に従って、すなわち、測定オブジェクト（MeasObjectEUTRA）に含まれている「ｍｅａｓＣｙｃｌｅＳＣｅｌｌ」に対応する測定条件（図２の測定条件のいずれか）に従って受信品質の測定を行う。
【００４１】
［標準規格仕様書変更例］
図７は、測定オブジェクト（MeasObjectEUTRA）に、上述の「受信品質の測定条件の緩和を許容しないことを示す情報」を設定する際に、現状の標準規格仕様書に対して追加される事項の例を示している。
【００４２】
図７は、「受信品質の測定条件の緩和を許容しないことを示す情報」として、「ｎｏｒｍａｌＭｅａｓＰｅｒｆｏｒｍａｎｃｅＳＣｅｌｌ」を新たに規定した場合の変更例を示す。図７Ａにおいて下線を引いた部分が追加される事項である。また、図７Ｂに示すように、当該追加部分の説明が「ｎｏｒｍａｌＭｅａｓＰｅｒｆｏｒｍａｎｃｅＳＣｅｌｌ」に追加される。
【００４３】
（処理手順その３）
処理手順その３では、基地局ｅＮＢは、ユーザ装置ＵＥに対して、受信品質の測定条件の緩和を許容するＳＣｅｌｌの周波数、及び当該ＳＣｅｌｌの周波数に適用する受信品質の測定条件を示す設定情報（測定オブジェクト）を、ＲＲＣメッセージを用いて送信する。
【００４４】
より具体的には、基地局ｅＮＢは、ＲＲＣメッセージ（RRCConnectionReconfiguration message）を用いてユーザ装置ＵＥに測定設定ＩＥ（MeasConfigIE）を送信する際、当該測定設定に含まれる測定オブジェクト（MeasObjectEUTRA）に、「受信品質の測定条件を示す情報」を測定対象の周波数と対応づけて設定しておく。「受信品質の測定条件を示す情報」は、前述の「ｍｅａｓＣｙｃｌｅＳＣｅｌｌ」に類似する情報であり、少なくとも、「ｍｅａｓＣｙｃｌｅＳＣｅｌｌ」の設定値よりも短いサイクルの設定値を設定することができるようにする。
【００４５】
ユーザ装置ＵＥは、アクティブ状態であるＳＣｅｌｌの周波数の受信品質の測定を行う際に、当該ＳＣｅｌｌの周波数に対応する測定オブジェクト（MeasObjectEUTRA）に、「受信品質の測定条件を示す情報」が含まれているか否かを確認する。
【００４６】
「受信品質の測定条件を示す情報」が含まれている場合、ユーザ装置ＵＥは、「受信品質の測定条件を示す情報」に従って受信品質の測定を行う。なお、ユーザ装置ＵＥは、「受信品質の測定条件を示す情報」の設定値を２０倍した値を、セル検出に許容される時間と認識し、「受信品質の測定条件を示す情報」の設定値を５倍した値を、ＲＳＲＰ／ＲＳＲＱの測定に許容される時間と認識するようにしてもよい。
【００４７】
一方、「受信品質の測定条件を示す情報」が含まれていない場合、ユーザ装置ＵＥは、アクティブ状態であるＳＣｅｌｌの周波数に対する測定条件（図１のＡｃｔｉｖａｔｅｄ  Ｓｃｅｌｌの周波数に係る測定条件）に従って受信品質の測定を行う。
【００４８】
［標準規格仕様書変更例］
図８は、基地局ｅＮＢからユーザ装置ＵＥに通知される測定オブジェクト（MeasObjectEUTRA）に、上述の「受信品質の測定条件を示す情報」を設定する際に、現状の標準規格仕様書に対して追加される事項の例を示している。
【００４９】
図８は、「受信品質の測定条件を示す情報」として、「ｍｅａｓＣｙｃｌｅＡｃｔｉｖｅＳＣｅｌｌ」を新たに規定した場合の変更例を示す。図８Ａにおいて下線を引いた部分が追加される事項である。また、図８Ｂに示すように、当該追加部分の説明が「ｍｅａｓＣｙｃｌｅＡｃｔｉｖｅＳＣｅｌｌ」に追加される。
【００５０】
（処理手順その４）
処理手順その４では、基地局ｅＮＢは、ユーザ装置ＵＥに対して、受信品質の測定条件の緩和を許容する／しないＳＣｅｌｌを示す設定情報（ＭＡＣ  ＣＥ（Media Access Control Control Element））を、ＭＡＣ  ＰＤＵ（Protocol Data Unit）を用いて送信する。
【００５１】
より具体的には、基地局ｅＮＢは、受信品質の測定条件の緩和を許容する／しないＳＣｅｌｌのＳＣｅｌｌＩｎｄｅｘを指定するＭＡＣ  ＣＥをユーザ装置ＵＥに送信する。
【００５２】
ユーザ装置ＵＥは、アクティブ状態であるＳＣｅｌｌの周波数の受信品質の測定を行う際に、当該ＳＣｅｌｌが、受信品質の測定条件の緩和を許容するＳＣｅｌｌである場合、非アクティブ状態のＳＣｅｌｌの周波数に対する測定条件に従って、すなわち、当該ＳＣｅｌｌの周波数に対応する測定オブジェクト（MeasObjectEUTRA）に含まれている「ｍｅａｓＣｙｃｌｅＳＣｅｌｌ」に対応する測定条件（図２の測定条件のいずれか）に従って受信品質の測定を行う。
【００５３】
一方、当該ＳＣｅｌｌが、受信品質の測定条件の緩和を許容しないＳＣｅｌｌである場合、ユーザ装置ＵＥは、アクティブ状態であるＳＣｅｌｌの周波数に対する測定条件（図１のＡｃｔｉｖａｔｅｄ  Ｓｃｅｌｌの周波数に係る測定条件）に従って受信品質の測定を行う。
【００５４】
［標準規格仕様書変更例］
図９は、受信品質の測定条件の緩和を許容する／しないＳＣｅｌｌを指定するＭＡＣ  ＣＥの例を示している。本ＭＡＣ  ＣＥは、ＳＣｅｌｌごとに、受信品質の測定条件の緩和を許容する／しないを指定することができる。
【００５５】
「１」がセットされている場合、ユーザ装置ＵＥは、ＳＣｅｌｌＩｎｄｅｘで指定されるＳＣｅｌｌの周波数については、非アクティブ状態のＳＣｅｌｌの周波数に対する測定条件に従って、すなわち、ＳＣｅｌｌＩｎｄｅｘで指定されるＳＣｅｌｌの周波数に対応する測定オブジェクト（MeasObjectEUTRA）に含まれている「ｍｅａｓＣｙｃｌｅＳＣｅｌｌ」に対応する測定条件（図２の測定条件のいずれか）に従って受信品質の測定を行う。
【００５６】
一方、「０」がセットされている場合、ユーザ装置ＵＥは、ＳＣｅｌｌＩｎｄｅｘで指定されるＳＣｅｌｌの周波数については、アクティブ状態であるＳＣｅｌｌに対する測定条件に従って受信品質の測定を行う。
【００５７】
図１０は、受信品質の測定条件の緩和を許容する／しないＳＣｅｌｌを指定するＭＡＣ  ＣＥの例を示している。図１０の例は、図９の設定値（０及び１）の意味を逆にしたものであるため、説明は省略する。
【００５８】
（処理手順の補足）
以上説明した処理手順その４において、処理手順その３の一部を組み合わせてもよい。具体的には、処理手順その４において、測定オブジェクト（MeasObjectEUTRA）に、処理手順３で説明した「ｍｅａｓＣｙｃｌｅＡｃｔｉｖｅＳＣｅｌｌ」を設定しておき、ユーザ装置ＵＥは「ｍｅａｓＣｙｃｌｅＳＣｅｌｌ」に代えて、「ｍｅａｓＣｙｃｌｅＡｃｔｉｖｅＳＣｅｌｌ」の設定値に従って受信品質の測定を行うようにしてもよい。
【００５９】
以上説明した処理手順その１〜４を用いることで、基地局ｅＮＢは、受信品質の測定条件の緩和を許容するセルを任意に制御することが可能になる。これにより、基地局ｅＮＢは、例えば、受信品質が悪いＳＣｅｌｌについては、ユーザ装置から基地局への受信品質の報告（Ｍｅａｓｕｒｅｍｅｎｔ  Ｒｅｐｏｒｔ）が遅延するのを防止するために、受信品質の測定条件の緩和を許容しないようにしておき、受信品質が良好なＳＣｅｌｌについては、ユーザ装置ＵＥの電力消費を抑えるために、受信品質の測定条件の緩和を許容するというような動作を実現することが可能になる。
【００６０】
また、前述のように、測定条件を緩和するＳＣｅｌｌを新たなＲＲＣシグナリングを使用せずに固定的に決定しようとすると、測定条件を緩和するＳＣｅｌｌを変更しようとする場合、基地局ｅＮＢは、その度にＳＣｅｌｌの追加／削除を行う必要がある。一方、処理手順その１〜４を用いることで、基地局ｅＮＢは、ＳＣｅｌｌの追加／削除を行うことなく、測定条件を緩和するＳＣｅｌｌを変更することができ、結果的にシグナリング量を削減することが可能になる。
【００６１】
また、処理手順その４では、ＭＡＣ  ＣＥを用いて受信品質の測定条件の緩和をユーザ装置ＵＥに通知するようにしたことで、ＲＲＣメッセージを用いる処理手順その１〜３よりも高速に、受信品質の測定条件の緩和を許容する／許容しないＳＣｅｌｌを切替えることが可能になる。
【００６２】
以上の各処理手順における受信品質の測定について、ＲＳＲＰ／ＲＳＲＱの測定に加えて、又はこれに代えて、ＳＩＮＲ（ＲＳ−ＳＩＮＲ）の測定が含まれてもよい。ＳＩＮＲ（ＲＳ−ＳＩＮＲ）の測定が含まれる場合、各処理手順における受信品質の測定条件は、ＲＳＲＰ／ＲＳＲＱ／ＳＩＮＲ（ＲＳ−ＳＩＮＲ）の測定に許容される時間を意味する。
なお、ＳＩＮＲ（ＲＳ−ＳＩＮＲ）の測定とは、ＰＤＣＣＨ（Ｐｈｙｓｉｃａｌ  Ｄｏｗｎｌｉｎｋ  Ｃｏｎｔｒｏｌ  Ｃｈａｎｎｅｌ）又は／及びＰＤＳＣＨ（Ｐｈｙｓｉｃａｌ  Ｄｏｗｎｌｉｎｋ  Ｓｈａｒｅｄ  Ｃｈａｎｎｅｌ）に含まれるＲＳ（Ｒｅｆｅｒｅｎｃｅ  Ｓｉｇｎａｌ）のＳＩＮＲを測定することを言う。また、ＳＩＮＲの測定対象であるＲＳには、ＣＲＳ（Ｃｅｌｌ  ｓｐｅｃｉｆｉｃ  Ｒｅｆｅｒｅｎｃｅ  Ｓｉｇｎａｌ）又は／及びＣＳＩ‐ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）が含まれる。
【００６３】
＜機能構成＞
次に、これまでの説明した処理を実行可能なユーザ装置ＵＥと基地局ｅＮＢにおける機能構成を説明する。
【００６４】
（基地局）
図１１は、実施の形態に係る基地局の機能構成例を示す図である。図１１に示すように、基地局ｅＮＢは、信号送信部１０１、信号受信部１０２、生成部１０３を含む。図１１は、基地局ｅＮＢにおける主要な機能部のみを示すものであり、少なくともＬＴＥに準拠した動作を行うための図示しない機能も有するものである。また、図１１に示す機能構成は一例に過ぎない。本実施の形態に係る動作を実行できるのであれば、機能区分及び機能部の名称はどのようなものでもよい。当該基地局ｅＮＢは、単独の基地局ｅＮＢでもよいし、設定（Ｃｏｎｆｉｇｕｒａｔｉｏｎ）により、ＤＣを実行する際にはＭｅＮＢとＳｅＮＢのいずれにもなり得る。
【００６５】
信号送信部１０１は、基地局ｅＮＢから送信されるべき上位のレイヤの信号から、物理レイヤの各種信号を生成し、無線送信する機能を含む。信号受信部１０２は、各ユーザ装置ＵＥから各種の信号を無線受信し、受信した物理レイヤの信号からより上位のレイヤの信号を取得する機能を含む。信号送信部１０１及び信号受信部１０２はそれぞれ、複数のＣＣを束ねて通信を行うＣＡを実行する機能を含む。また、信号送信部１０１及び信号受信部１０２は、ＲＲＥのように、基地局ｅＮＢの本体（制御部）から遠隔に設置された無線通信部を含んでもよい。
【００６６】
信号送信部１０１及び信号受信部１０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００６７】
生成部１０３は、基地局ｅＮＢ及びユーザ装置ＵＥの間で設定されている複数のＳＣｅｌｌのうち、所定のＳＣｅｌｌの周波数又は所定のＳＣｅｌｌに対して受信品質の測定条件の緩和を許容するか否かを示す設定情報を生成する。なお、当該設定情報は、ＲＲＣメッセージで送信されるＩＥであってもよいし、ＭＡＣ  ＣＥであってもよい。
【００６８】
また、生成部１０３は、当該設定情報を、ＭＡＣ  ＰＤＵ（Protocol Data Unit）又はＲＲＣメッセージによりユーザ装置ＵＥに送信するように信号送信部１０１に指示する。
【００６９】
（ユーザ装置）
図１２は、実施の形態に係るユーザ装置の機能構成例を示す図である。図１２に示すように、ユーザ装置ＵＥは、信号送信部２０１、信号受信部２０２、設定情報取得部２０３と、受信品質測定部２０４とを含む。図１２は、ユーザ装置ＵＥにおいて本発明の実施の形態に特に関連する機能部のみを示すものであり、少なくともＬＴＥに準拠した動作を行うための図示しない機能も有するものである。また、図１２に示す機能構成は一例に過ぎない。本実施の形態に係る動作を実行できるのであれば、機能区分及び機能部の名称はどのようなものでもよい。
【００７０】
信号送信部２０１は、ユーザ装置ＵＥから送信されるべき上位のレイヤの信号から、物理レイヤの各種信号を生成し、無線送信する機能を含む。信号受信部２０２は、基地局ｅＮＢから各種の信号を無線受信し、受信した物理レイヤの信号からより上位のレイヤの信号を取得する機能を含む。信号送信部２０１及び信号受信部２０２はそれぞれ、複数のＣＣを束ねて通信を行うＣＡを実行する機能を含む。
【００７１】
信号送信部２０１及び信号受信部２０２はそれぞれ、パケットバッファを備え、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００７２】
設定情報取得部２０３は、基地局ｅＮＢから送信される設定情報を取得し、メモリ等に格納する。
【００７３】
受信品質測定部２０４は、基地局ｅＮＢから送信される参照信号等を用いて、これらの信号の受信品質（ＲＳＲＰ／ＲＳＲＱ／ＳＩＮＲ（ＲＳ−ＳＩＮＲ）等）の測定を行う。また、基地局ｅＮＢから予め指定されているタイミングにより、品質測定結果報告（Ｍｅａｓｕｒｅｍｅｎｔ  Ｒｅｐｏｒｔ）を基地局ｅＮＢに送信する。
【００７４】
また、受信品質測定部２０４は、アクティブ状態であるＳＣｅｌｌの周波数に対して受信品質の測定を行う場合、設定情報に基づいて、アクティブ状態であるＳＣｅｌｌの周波数の受信品質の測定を行う際に許容されている測定条件よりも緩和された測定条件で受信品質の測定を行うのか否かを判断し、判断した測定条件に従って受信品質の測定を行う。
【００７５】
＜ハードウェア構成＞
以上説明したユーザ装置ＵＥ及び基地局ｅＮＢの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００７６】
（基地局）
図１３は、実施の形態に係る基地局のハードウェア構成例を示す図である。図１３は、図１１よりも実装例に近い構成を示している。図１３に示すように、基地局ｅＮＢは、無線信号に関する処理を行うＲＥ（Radio Equipment）モジュール３０１と、ベースバンド信号処理を行うＢＢ（Base Band）処理モジュール３０２と、上位レイヤ等の処理を行う装置制御モジュール３０３と、ネットワークと接続するためのインタフェースである通信ＩＦ３０４とを有する。
【００７７】
ＲＥモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＥモジュール３０１は、例えば、図１１に示す信号送信部１０１及び信号受信部１０２の一部を含む。
【００７８】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図１１に示す信号送信部１０１の一部、信号受信部１０２の一部を含む。
【００７９】
装置制御モジュール３０３は、ＩＰレイヤのプロトコル処理、ＯＡＭ（Operation and Maintenance）処理等を行う。プロセッサ３１３は、装置制御モジュール３０３が行う処理を行うプロセッサである。メモリ３２３は、プロセッサ３１３のワークエリアとして使用される。補助記憶装置３３３は、例えばＨＤＤ等であり、基地局ｅＮＢ自身が動作するための各種設定情報等が格納される。装置制御モジュール３０３は、例えば、図１１に示す信号送信部１０１の一部、信号受信部１０２の一部及び生成部１０３を含む。
【００８０】
（ユーザ装置）
図１４は、実施の形態に係るユーザ装置のハードウェア構成例を示す図である。図１４は、図１２よりも実装例に近い構成を示している。図１４に示すように、ユーザ装置ＵＥは、無線信号に関する処理を行うＲＥモジュール４０１と、ベースバンド信号処理を行うＢＢ処理モジュール４０２と、上位レイヤ等の処理を行う装置制御モジュール４０３と、ＳＩＭカードにアクセスするインタフェースであるＳＩＭスロット４０４とを有する。
【００８１】
ＲＥモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＥモジュール４０１は、例えば、図１２に示す信号送信部２０１及び信号受信部２０２の一部を含む。
【００８２】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１２に示す信号送信部２０１の一部、信号受信部２０２の一部、及び受信品質測定部２０４の一部を含む。
【００８３】
装置制御モジュール４０３は、ＩＰレイヤのプロトコル処理、各種アプリケーションの処理等を行う。プロセッサ４１３は、装置制御モジュール４０３が行う処理を行うプロセッサである。メモリ４２３は、プロセッサ４１３のワークエリアとして使用される。また、プロセッサ４１３は、ＳＩＭスロット４０４を介してＳＩＭとの間でデータの読出し及び書込みを行う。装置制御モジュール４０３は、例えば、図１２に示す信号送信部２０１の一部、信号受信部２０２の一部、設定情報取得部２０３及び受信品質測定部２０４の一部を含む。
【００８４】
＜まとめ＞
以上、実施の形態によれば、キャリアアグリゲーションをサポートする無線通信システムにおける基地局であって、複数のセカンダリセルのうち、所定のセカンダリセルの周波数又は所定のセカンダリセルに対して受信品質の測定条件の緩和を許容するか否かを示す設定情報を生成する生成部と、前記設定情報をユーザ装置に送信する送信部と、を有する基地局が提供される。この基地局ｅＮＢにより、キャリアアグリゲーションをサポートする無線通信システムにおいて、受信品質の測定条件の緩和を許容するセルを任意に制御することが可能な技術が提供される。
【００８５】
前記設定情報は、前記所定のセカンダリセルの周波数に適用する受信品質の測定条件を更に含むようにしてもよい。これにより、ユーザ装置ＵＥがアクティブ状態であるＳＣｅｌｌの周波数の受信品質を測定する際に、適用すべき測定条件を様々に変更することができる。
【００８６】
前記受信品質の測定条件は、アクティブ状態であるセカンダリセルの周波数におけるセル検出に許容される時間、又は、ＲＳＲＰ、ＲＳＲＱ若しくはＳＩＮＲの測定に許容される時間であってもよい。これにより、ユーザ装置ＵＥが、アクティブ状態であるＳＣｅｌｌの周波数の受信品質を測定する際の測定条件を、具体的に規定することができる。
【００８７】
前記設定情報は、ＲＲＣメッセージで送信されるインフォメーションエレメント、又は、ＭＡＣ  ＣＥであってもよい。これにより、基地局ｅＮＢは、様々な方法で、設定情報をユーザ装置ＵＥに送信することができる。
【００８８】
また、実施の形態によれば、キャリアアグリゲーションをサポートする無線通信システムにおけるユーザ装置であって、複数のセカンダリセルのうち、所定のセカンダリセルの周波数又は所定のセカンダリセルに対して受信品質の測定条件の緩和を許容するか否かを示す設定情報を、基地局から取得する取得部と、アクティブ状態であるセカンダリセルの周波数に対して受信品質の測定を行う場合、前記設定情報に基づいて、アクティブ状態であるセカンダリセルの周波数の受信品質の測定を行う際に許容されている測定条件よりも緩和された測定条件で受信品質の測定を行うのか否かを判断し、判断した測定条件に従って受信品質の測定を行う測定部と、を有するユーザ装置が提供される。このユーザ装置ＵＥにより、キャリアアグリゲーションをサポートする無線通信システムにおいて、受信品質の測定条件の緩和を許容するセルを任意に制御することが可能な技術が提供される。
【００８９】
また、実施の形態によれば、キャリアアグリゲーションをサポートする無線通信システムにおける基地局が実行する測定条件通知方法であって、複数のセカンダリセルのうち、所定のセカンダリセルの周波数又は所定のセカンダリセルに対して受信品質の測定条件の緩和を許容するか否かを示す設定情報を生成するステップと、前記設定情報をユーザ装置に送信するステップと、を有する測定条件通知方法が提供される。この測定条件通知方法により、キャリアアグリゲーションをサポートする無線通信システムにおいて、受信品質の測定条件の緩和を許容するセルを任意に制御することが可能な技術が提供される。
【００９０】
また、実施の形態によれば、キャリアアグリゲーションをサポートする無線通信システムにおけるユーザ装置が実行する測定方法であって、複数のセカンダリセルのうち、所定のセカンダリセルの周波数又は所定のセカンダリセルに対して受信品質の測定条件の緩和を許容するか否かを示す設定情報を、基地局から取得するステップと、アクティブ状態であるセカンダリセルの周波数に対して受信品質の測定を行う場合、前記設定情報に基づいて、アクティブ状態であるセカンダリセルの周波数の受信品質の測定を行う際に許容されている測定条件よりも緩和された測定条件で受信品質の測定を行うのか否かを判断し、判断した測定条件に従って受信品質の測定を行うステップと、を有する測定方法が提供される。この測定方法により、キャリアアグリゲーションをサポートする無線通信システムにおいて、受信品質の測定条件の緩和を許容するセルを任意に制御することが可能な技術が提供される。
【００９１】
＜実施形態の補足＞
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９２】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９３】
本特許出願は２０１５年１１月６日に出願した日本国特許出願第２０１５−２１８９８５号に基づきその優先権を主張するものであり、日本国特許出願第２０１５−２１８９８５号の全内容を本願に援用する。
【符号の説明】
【００９４】
ＵＥ  ユーザ装置
ｅＮＢ  基地局
１０１  信号送信部
１０２  信号受信部
１０３  生成部
２０１  信号送信部
２０２  信号受信部
２０３  設定情報取得部
２０４  受信品質測定部
３０１  ＲＥモジュール
３０２  ＢＢ処理モジュール
３０３  装置制御モジュール
３０４  通信ＩＦ
４０１  ＲＥモジュール
４０２  ＢＢ処理モジュール
４０３  装置制御モジュール
４０４  ＳＩＭスロット
【図１】
2017077898.tif 000003
【図２】
2017077898.tif 000004
【図３】
2017077898.tif 000005
【図４】
2017077898.tif 000006
【図５Ａ】
2017077898.tif 000007
【図５Ｂ】
2017077898.tif 000008
【図６Ａ】
2017077898.tif 000009
【図６Ｂ】
2017077898.tif 000010
【図７Ａ】
2017077898.tif 000011
【図７Ｂ】
2017077898.tif 000012
【図８Ａ】
2017077898.tif 000013
【図８Ｂ】
2017077898.tif 000014
【図９】
2017077898.tif 000015
【図１０】
2017077898.tif 000016
【図１１】
2017077898.tif 000017
【図１２】
2017077898.tif 000018
【図１３】
2017077898.tif 000019
【図１４】
2017077898.tif 000020
【国際調査報告】
2017077898.tif 000021
2017077898.tif 000022
2017077898.tif 000023